(57)【要約】  【課題】ＩＣカードや、バーコード認証等の機能を有した自動販売機においては、ＩＣカードやバーコードをかざす操作が必要になるが、扉１の商品展示室３の下部にある垂直面に設けられた操作部では見下ろす高さであり、ＩＣカードやバーコードをかざしにくいという課題があった。  【解決手段】本発明の自動販売機は、前記商品展示室３の下方に、硬貨投入口６、返金レバー７、更には、ＩＣカード認証部１２、バーコード認証部１３などの操作部を配置し、かつ、前記操作部を配置した面が、扉面に対して角度を有し斜め方向に突出しているので、操作部が購入者の目線に向いた位置にあるので、見やすく、また、ＩＣカードやバーコードをかざしやすい。【選択図】図１
2006119960.tif 000002
【特許請求の範囲】
【請求項１】
機体の前面に商品展示室を有する扉が設けられ、前記商品展示室の下方に、硬貨投入口、返金レバー、更には、バーコード認証部、ＩＣカード認証部などの操作部を配置し、かつ、前記操作部を配置した面が、扉面に対して角度を有し斜め方向に突出していることを特徴とする自動販売機。
【請求項２】
携帯電話の画面に表示させたバーコードを認証する機能を有する自動販売機においては、認証装置を配置した面の高さが、折りたたみ式携帯電話を開いてかざしたとき、自動販売機の扉面に当接しない高さとしたことを特徴とする請求項１記載の自動販売機。
【請求項３】
機体の前面に商品展示室を有する扉が設けられ、前記商品展示室の下方に、硬貨投入口、返金レバー、更には、バーコード認証部、ＩＣカード認証部などの操作部を配置し、かつ、前記操作部を配置した面が、扉面に対して角度を有し斜め方向に凹状になることを特徴とする自動販売機。
【請求項４】
硬貨投入口、返金レバーは、自動販売機の扉の垂直面に配置し、現金以外による購入動作であるバーコード認証、ＩＣカード認証、操作ボタンなどの操作部を配置した面は、扉面に対して角度を有し斜め方向に突出していることを特徴とする自動販売機。
【請求項５】
バーコード認証部、ＩＣカード認証部を、突出した面に対して、凹状となることを特徴とする請求項４記載の自動販売機。
【発明の詳細な説明】
【技術分野】
【０００１】
本発明は、自動販売機の操作部分に関するものである。
【背景技術】
【０００２】
従来、自動販売機において、購入者が操作する部分、つまり、硬貨投入部や返却レバーなどの操作部は、扉を構成する垂直な面に設けられているのが一般的である。また、突出させた操作部を、自動販売機の外郭部から突出させた照明装置により照らす方法も提案されているが、非常に大掛かりな装置となり動作が複雑になる為、故障も発生しやすくなり、さらに、高コストとなる（例えば、特許文献１参照）。
【０００３】
図６は従来の自動販売機の斜視図である。
【０００４】
以下、図６を参照しながら、従来の自動販売機について説明する。
【０００５】
機体前面に設けられた扉１には、透明パネル２に覆われた商品展示室３が設けられ、商品展示室３内には、見本商品４が設けられている。見本商品４の前面の透明パネル２には、商品選択ボタン５が設けられている。商品展示室３の下部には、硬貨投入口６、返金レバー７、投入された金額を表示する金額表示器８、紙幣投入口９、さらに、扉１の下方には、商品取出し口１０が設けられている。また、見本商品４の下部には、それぞれ段において、蛍光灯（図示せず）が設けられ、見本商品４を照らすとともに、商品展示室３も照らしている。以上のように構成された自動販売機について、以下その動作について説明する。
【０００６】
通常、硬貨により缶入り飲料を購入する際は、硬貨を硬貨投入口６に挿入すると、金額表示器８に投入金額が表示され、商品選択ボタン５を押すことにより、缶入り飲料が商品取出し口１０に搬出される。硬貨の代わりに紙幣を紙幣投入口９に投入しても、同様の動作にて缶入り飲料を購入することができる。
【特許文献１】特開２０００−１９４９１４号公報
【発明の開示】
【発明が解決しようとする課題】
【０００７】
しかしながら、前記従来の構成では、蛍光灯の光は、商品展示室３およびその前方を照らすが、垂直面に構成された硬貨投入口６や返金レバー７などの操作部には、光が届きにくく、夜間に暗く見づらいとともに、垂直面にあり、商品展示室３の下部の位置にあることから、見下ろす高さとなっており、見づらくなっていた。また、ＩＣカードや、バーコード認証等の機能を有した自動販売機においては、ＩＣカードやバーコードをかざす操作が必要になるが、垂直面にあり、商品展示室３の下部にある操作部では見下ろす高さであり、ＩＣカードやバーコードをかざしにくいという課題があった。
【０００８】
本発明は、上記従来の課題を解決するもので、商品展示室の下部にあり、見下ろす高さの操作部に傾斜を設けることで、見やすくし、また、ＩＣカード等をかざしやすくするものである。
【課題を解決するための手段】
【０００９】
前記従来の課題を解決するために、本発明の自動販売機は、機体の前面に商品展示室を有する扉が設けられ、前記商品展示室の下方に、硬貨投入口、返金レバー、更には、バーコード認証部、ＩＣカード認証部などの操作部を配置し、かつ、前記操作部を配置した面が、扉面に対して角度を有し斜め方向に突出していることを特徴とするものである。
【発明の効果】
【００１０】
本発明の自動販売機は、前記商品展示室の下方に、硬貨投入口、返金レバー、更には、バーコード認証部、ＩＣカード認証部などの操作部を配置し、かつ、前記操作部を配置した面が、扉面に対して角度を有し斜め方向に突出しているので、操作部が購入者の目線に向いた位置にあるので、見やすく、また、ＩＣカードやバーコードをかざしやすい。
【発明を実施するための最良の形態】
【００１１】
第１の発明は、機体の前面に商品展示室を有する扉が設けられ、前記商品展示室の下方に、硬貨投入口、返金レバー、更には、バーコード認証部、ＩＣカード認証部などの操作部を配置し、かつ、前記操作部を配置した面が、扉面に対して角度を有し斜め方向に突出しているので、操作部が購入者の目線に向いた位置にあるので、見やすく、また、ＩＣカードやバーコードをかざしやすい。
【００１２】
第２の発明は、第１の発明の自動販売機において、携帯電話の画面に表示させたバーコードを認証する機能を有するとき、バーコード認証部を配置した面の高さが、折りたたみ式携帯電話を開いてかざしたとき、自動販売機の扉面に当接しない高さとしたことにより、折りたたみ式携帯電話での操作においても、かざしやすくしたものである。
【００１３】
第３の発明は、機体の前面に商品展示室を有する扉が設けられ、前記商品展示室の下方に、硬貨投入口、返金レバー、更には、バーコード認証部、ＩＣカード認証部などの操作部を配置し、かつ、前記操作部を配置した面が、扉面に対して角度を有し斜め方向に凹状になるものであり、操作部が購入者の目線に向いた位置にあるので、見やすく、また、ＩＣカードやバーコードをかざしやすく、また、自動販売機からの前面への突出部が無いので道路等へのはみ出しがなく、通行の邪魔にならない。
【００１４】
第４の発明は、硬貨投入口、返金レバーは、自動販売機の扉の垂直面に配置し、現金以外による購入動作であるバーコード認証、ＩＣカード認証、操作ボタンなどの操作部を配置した面を、扉面に対して角度を有し斜め方向に突出しているものであり、従来どおり、現金で購入する場合と、現金以外による購入とを区別することができ、現金以外での購入操作部が突出することにより、強調することができる。
【００１５】
第５の発明は、バーコード認証部、ＩＣカード認証部を、突出した面に対して、凹状となることにより、携帯電話やＩＣカードを置くようにかざすことができるようになり、かざしやすくなる。
【００１６】
以下、本発明による自動販売機の実施の形態について、図面を参照しながら説明する。なお、従来と同一構成については同一符号を付してその詳細な説明を省略する。なお、本実施の形態によって本発明が限定されるものではない。
【００１７】
（実施の形態１）
図１は、本発明の実施の形態１における自動販売機の斜視図である。
【００１８】
図１において、扉１に設けられた商品展示室３の下方に、扉面に対して角度を有し斜め方向に突出している斜面１１が設けられている。斜面１１には、硬貨投入口６、返金レバー７、金額表示器８、ＩＣカード認証部１２、バーコード認証部１３、操作ボタン１４が、配置されている。
【００１９】
以上のように構成された自動販売機について、以下その動作を説明する。
【００２０】
従来の構成同様に、硬貨により飲料を購入する際は、硬貨投入口６に硬貨を投入し、商品選択ボタンを押す。その際、硬貨投入口６及び金額表示器８、返金レバー７が購入者の方向に向いており操作しやすくなっている。またＩＣカードにより購入する場合においても、ＩＣガード認証部１２が斜面１１に設けられ、購入者の方向に向いているので、かざしやすくなっている。ＩＣカードにより缶入り飲料を購入する際は、商品選択ボタンを押した後、ＩＣカードをＩＣカード認証部１２にかざすと、商品が、商品取出し口１０に搬出される。同様に、バーコード認証部１３や、現金購入とＩＣカード購入の切り替え用の操作ボタン１４も斜面１１に設けられているので、購入者の方向を向いているので、操作しやすくなっている。
【００２１】
以上のように本実施の形態の自動販売機は、扉面に対して角度を有し斜め方向に突出している斜面１１が設けられ、斜面１１には、硬貨投入口６、返金レバー、ＩＣカード認証部１２、バーコード認証部１３、操作ボタン１４が、配置されているので、さまざまな操作がしやすくなっている。また、商品展示室３の蛍光灯の光が、突出した斜面１１に届くので、夜間でも、見やすく、操作しやすくなっている。
【００２２】
（実施の形態２）
図２は、本発明の実施の形態２における自動販売機の側面断面図である。
【００２３】
図２において、扉１に設けられ扉面に対して角度を有し斜め方向に突出している斜面１１にバーコード認証部１３が設けられている。携帯電話１５の画面１６に、バーコードを表示させ、それをバーコード認証部１３にかざすと、自動販売機がバーコードを認証し、飲料を購入することができる。斜面１１に設けられたバーコード認証部１３の斜面１１の底面からの高さａが１００ｍｍ以下、斜面１１の底部の突出代ｂが２０ｍｍ以上の寸法がある。
【００２４】
以上のように構成された自動販売機について、以下その動作を説明する。
【００２５】
携帯電話１５に表示させたバーコードにより飲料を購入する際、まず、操作ボタン１４を押し、バーコード認証をスタートさせた後、携帯電話１５のバーコードを表示させた画面１６をバーコード認証部１３にかざす。それにより、自動販売機が販売可能状態となり、商品選択ボタンを押すことにより、飲料を購入することができる。斜面１１に設けられたバーコード認証部１３の斜面１１の底面からの高さａが１００ｍｍ以下、斜面１１の底部の突出代ｂが２０ｍｍ以上の寸法があるので、折りたたみ式の携帯電話１５をバーコード認証部１３にかざしても、携帯電話の先端が扉１に当接することなく、バーコードを認証させることができる。
【００２６】
以上のように本実施の形態の自動販売機は、バーコード認証部１３を配置した面の高さが、折りたたみ式携帯電話を開いてかざしたとき、自動販売機の扉面に当接しない高さとしたことにより、折りたたみ式携帯電話でのバーコード認証の操作においても、かざしやすくしたものである。
【００２７】
（実施の形態３）
図３は、本発明の実施の形態３における自動販売機の斜視図である。
【００２８】
図３において、商品展示室３の下方に、扉面に対して角度を有し斜め方向に凹状となる斜面１７を有し、前記斜面１７には、硬貨投入口６、返金レバー７、金額表示器８、ＩＣカード認証部１２、バーコード認証部１３、操作ボタン１４が配置されている。また、斜面１７の上方、商品展示室３との境界壁は、透過性の材質となっており、商品展示室３にある蛍光灯の光が、斜面１７に届くようになっている。
【００２９】
以上のように構成された自動販売機について、以下その動作を説明する。
【００３０】
硬貨により飲料を購入する際は、硬貨投入口６に硬貨を投入し、商品選択ボタンを押す。その際、硬貨投入口６及び金額表示器８、返金レバー７が購入者の方向に向いており操作しやすくなっている。またＩＣカードにより購入する場合においても、ＩＣガード認証部１２が斜面１１に設けられ、購入者の方向に向いているので、かざしやすくなっている。  同様に、バーコード認証部１３や、現金購入とＩＣカード購入の切り替え用の操作ボタン１４も斜面１１に設けられているので、購入者の方向を向いているので、操作しやすくなっている。
【００３１】
以上のように本実施の形態の自動販売機は、扉面に対して角度を有し斜め方向に凹状となる斜面１７が設けられ、斜面１７には、硬貨投入口６、返金レバー、ＩＣカード認証部１２、バーコード認証部１３、操作ボタン１４が、配置されているので、さまざまな操作がしやすくなっている。また、商品展示室３の蛍光灯の光が、斜面に届くので、夜間でも、見やすく、操作しやすくなっている。さらに、自動販売機からの前面への突出部が無いので道路等へのはみ出しがなく、通行の邪魔にならない。
【００３２】
（実施の形態４）
図４は、本発明の実施の形態４における自動販売機の斜視図である。
【００３３】
図４において、扉１に設けられた商品展示室３の下方に、扉面に対して角度を有し斜め方向に突出している斜面１８が設けられている。斜面１８には、ＩＣカード認証部１２、バーコード認証部１３、操作ボタン１４が、配置されている。また、硬貨投入口６、返金レバー７、金額表示器８は、従来同様、扉１の垂直面に設けられている。
【００３４】
以上のように構成された自動販売機について、以下その動作を説明する。
【００３５】
硬貨により飲料を購入する際は、従来の構成同様、硬貨投入口６に硬貨を投入し、商品選択ボタンを押す。ＩＣカードにより購入する場合には、ＩＣガード認証部１２が斜面１８に設けられ、購入者の方向に向いているので、かざしやすくなっている。同様に、バーコード認証部１３や、現金購入とＩＣカード購入の切り替え用の操作ボタン１４も斜面１８に設けられているので、購入者の方向を向いているので、操作しやすくなっている。
【００３６】
以上のように本実施の形態の自動販売機は、現金以外による購入動作であるＩＣカード認証部１２、バーコード認証部１３、操作ボタン１４を配置した斜面１８が、扉面に対して角度を有し斜め方向に突出しているものであり、従来どおり、現金で購入する場合と、現金以外による購入とを区別することができ、現金以外での購入操作部が突出することにより、強調することができる。
【００３７】
（実施の形態５）
図５は、本発明の実施の形態５における自動販売機の斜視図である。
【００３８】
図５において、扉１に設けられた商品展示室３の下方に、扉面に対して角度を有し斜め方向に突出している斜面１９が設けられている。斜面１９には、さらに、凹状の斜面２０が設けられている。斜面１９には、操作ボタン１４が配置され、斜面２０には、ＩＣカード認証部１２、バーコード認証部１３が配置されている。また、硬貨投入口６、返金レバー７、金額表示器８は、従来同様、扉１の垂直面に設けられている。
【００３９】
以上のように構成された自動販売機について、以下その動作を説明する。
【００４０】
硬貨により飲料を購入する際は、従来の構成同様、硬貨投入口６に硬貨を投入し、商品選択ボタンを押す。ＩＣカードや、バーコードにより購入する場合には、ＩＣガード認証部１２とバーコード認証部１３が斜面２０に設けられ、購入者の方向に向き、かつ、置くようにかざすことができ、かざしやすくなっている。同様に、現金購入とＩＣカード購入の切り替え用の操作ボタン１４が斜面１９に設けられているので、購入者の方向を向いているので、操作しやすくなっている。
【００４１】
以上のように本実施の形態の自動販売機は、現金以外による購入動作であるＩＣカード認証部１２、バーコード認証部１３、操作ボタン１４を配置した斜面１９が、扉面に対して角度を有し斜め方向に突出しているものであり、従来どおり、現金で購入する場合と、現金以外による購入とを区別することができ、現金以外での購入操作部が突出することにより、強調することができる。さらに、ＩＣカード認証部１２、バーコード認証部１３を配置した斜面２０が、斜面１９に対して、凹状に傾斜しているので、ＩＣカードや、バーコードを置くようにかざすことができ、かざしやすくなっている。
【産業上の利用可能性】
【００４２】
以上のように、本発明にかかる自動販売機は、操作部に関するものであり、自動販売機に限らず、操作を行う様々な産業機器に適応できる。
【図面の簡単な説明】
【００４３】
【図１】本発明の実施の形態１における自動販売機の斜視図
【図２】本発明の実施の形態２における自動販売機の側面断面図
【図３】本発明の実施の形態３における自動販売機の斜視図
【図４】本発明の実施の形態４における自動販売機の斜視図
【図５】本発明の実施の形態５における自動販売機の斜視図
【図６】従来の自動販売機の斜視図
【符号の説明】
【００４４】
１    扉
３    商品展示室
６    硬貨投入口
７    返金レバー
１１  斜面
１２  ＩＣカード認証部
１３  バーコード認証部
１５  携帯電話
１６  画面
１７  斜面
１８  斜面
１９  斜面
２０  斜面
【図１】
2006119960.tif 000003
【図２】
2006119960.tif 000004
【図３】
2006119960.tif 000005
【図４】
2006119960.tif 000006
【図５】
2006119960.tif 000007
【図６】
2006119960.tif 000008